(57)【要約】【課題】キッチンを狭くして台所作業の邪魔になることがなく、また、キッチンの美観を高めることのできる浄水器を提供する。【解決手段】水道の蛇口Ｆに連結され、水道水を、フィルター部３に設けられたフィルター３ａを通過させ、電界槽４で電気分解することにより浄化する浄水器であって、前記フィルター３ａを薄板状の板型活性炭フィルターで構成してフィルター部３の奥行を狭くするとともに、前記電解槽４を前記フィルター部３と同様の奥行にして、フィルター部３と電解槽４が組み込まれた浄水槽部２の全体形状を箱状薄型にした。また、浄水槽部２を壁Ｗに掛止自在とする。さらに、浄水槽部２の前面に、絵画や写真を装着するための額縁状の装飾フレーム７を設ける。【選択図】      図１
2005169257.tif 000002
【特許請求の範囲】
【請求項１】
水道の蛇口に連結され、水道水を、フィルター部に設けられたフィルターを通過させ、電解槽で電気分解することにより浄化する浄水器であって、
前記フィルターを薄板状の板型活性炭フィルターで構成してフィルター部の奥行を狭くするとともに、前記電解槽を前記フィルター部と同様の奥行にして、前記フィルター部と電解槽が組み込まれた浄水槽部の全体形状を箱状薄型にしたことを特徴とする薄型浄水器。
【請求項２】
前記浄水槽部を、壁に掛止自在としたことを特徴とする請求項１に記載の薄型浄水器。
【請求項３】
前記浄水槽部の前面又は、裏面に、絵画や写真を装着するための額縁状の装飾フレームを設けたことを特徴とする請求項１または２に記載の薄型浄水器。
【請求項４】
前記浄水槽部の前面又は、裏面に、鏡やホワイトボードを装着したことを特徴とする請求項１または２に記載の薄型浄水器。
【請求項５】
前記板型活性炭フィルターに代えて、該板型活性炭フィルターの肉厚とほぼ等しい小径で円筒状の円筒型活性炭フィルターを少なくとも上下二段に設けたことを特徴とする請求項１乃至４のうちいずれか一つに記載の薄型浄水器。
【発明の詳細な説明】
【技術分野】
【０００１】
本発明は、水道水を浄化する薄型の浄水器に関するものである。
【背景技術】
【０００２】
従来から、水道水に含まれる塩素などを取り除くために、多くの家庭等の水道には浄水器が取り付けられている。この浄水器の本体部分である浄水槽部は、一般に、円筒形で比較的大型であり、流し台の上や台所用品の収納スペース等に設置されている。
【発明の開示】
【発明が解決しようとする課題】
【０００３】
しかしながら、この従来の浄水器における浄水槽部は、上述したように、流し台の上や台所用品の収納スペースに設置さているので、キッチンが狭くなり、台所作業の邪魔になるといった問題がある。
また、この浄水器の形状は特徴のない円筒形であるため、キッチンの美観を損ねるといった問題もある。
【０００４】
そこで、本発明の目的とするところは、キッチンを狭くして台所作業の邪魔になることがなく、また、キッチンの美観を損ねるのではなく、美観を高めることのできる浄水槽部を備えた浄水器を提供することにある。
【課題を解決するための手段】
【０００５】
上記の目的を達成するために、本発明の請求項１に記載の発明に係る薄型浄水器（１）は、水道の蛇口（Ｆ）に連結され、水道水を、フィルター部（３）に設けられたフィルター（３ａ）を通過させ、電解槽（４）で電気分解することにより浄化する浄水器であって、前記フィルター（３ａ）を薄板状の板型活性炭フィルターで構成してフィルター部（３）の奥行を狭くするとともに、前記電解槽（４）を前記フィルター部（３）と同様の奥行にして、前記フィルター部（３）と電解槽（４）が組み込まれた浄水槽部（２）の全体形状を箱状薄型にしたことを特徴とする。
【０００６】
また、請求項２に記載の発明は、前記浄水槽部（２）を、壁（Ｗ）に掛止自在としたことを特徴とする。
【０００７】
また、請求項３に記載の発明は、前記浄水槽部（２）の前面又は、裏面に、絵画や写真を装着するための額縁状の装飾フレーム（７）を設けたことを特徴とする。
【０００８】
さらに、請求項４に記載の発明は、前記浄水槽部（２）の前面又は、裏面に、鏡（１０）やホワイトボード（１１）を装着したことを特徴とする。
【０００９】
またさらに、請求項５に記載の発明は、前記板型活性炭フィルター（３ａ）に代えて、該板型活性炭フィルター（３ａ）の肉厚とほぼ等しい小径で円筒状の円筒型活性炭フィルター（１２ａ）を少なくとも上下二段に設けたことを特徴とする。
【００１０】
なお、カッコ内の記号は、図面および後述する発明を実施するための最良の形態に記載された対応要素または対応事項を示す。
【発明の効果】
【００１１】
本発明の請求項１に記載の薄型浄水器によれば、フィルターを薄板状の板型活性炭フィルターで構成してフィルター部の奥行を狭くするとともに、前記電解槽を前記フィルター部と同様の奥行にして、前記フィルター部と電解槽が組み込まれた浄水槽部の全体形状を箱状薄型にしたので設置スペースを小さくすることができ、台所作業の邪魔にならない。
【００１２】
また、請求項２に記載の発明によれば、請求項１に記載の発明の作用効果に加えて、浄水槽部を、壁に掛止自在としたので、さらに設置スペースを小さくすることができる。
【００１３】
また、請求項３に記載の発明によれば、請求項１および２に記載の発明の作用効果に加えて、浄水槽部の前面又は、裏面に、絵画や写真を装着するための額縁状の装飾フレームを設けたので、その装飾フレームに絵画や写真を装着することによって、浄水槽部の外観を綺麗にすることができ、キッチンの美観を高めることができる。
なお、装飾フレームを浄水槽部の前面及び裏面の両面に設けることもできるので、例えば、対面式のキッチンにおいて使用すれば、キッチンからもリビングからも外観上見栄えよくすることができる。
【００１４】
さらに、請求項４に記載の発明によれば、請求項１および２に記載の発明の作用効果に加えて、浄水槽部の前面又は、裏面に、鏡やホワイトボードを装着したので、それらを活用することによって台所作業を楽しくまた効率的に行うことができる。
【００１５】
またさらに、請求項５に記載の発明によれば、板型活性炭フィルターの肉厚とほぼ等しい小径で円筒状の円筒型活性炭フィルターを少なくとも上下二段に設けたので、請求項１乃至４に記載の発明の作用効果と同様に、設置スペースの縮小化を図ることができる。
【発明を実施するための最良の形態】
【００１６】
図１乃至図４を参照して、本発明の第一実施形態に係る薄型浄水器１について説明する。図１は薄型浄水器１を示す正面図であり、図２はその要部平面図である。また、図３は当該薄型浄水器１の浄水槽部２を示す概略正面断面図であり、図４はそのＡ−Ａ線断面図である。
【００１７】
この薄型浄水器１は、家庭の水道の蛇口Ｆに連結され、蛇口Ｆから供給される水道水を浄化する浄水器であって、蛇口Ｆに取付けられる部分である水栓部８と、水道水を浄化する部分である浄水槽部２と、前記水栓部８と浄水槽部２とを連結するホース部９とで構成される。ホース部９は、取水ホース９ａと給水ホース９ｂを備える。また、水栓部８は取水口、給水口、および水道水を浄水槽部２に送るための切替ハンドル８ａを備えている。
【００１８】
そして、浄水槽部２を、薄板状の板型活性炭フィルター３ａが設けられた奥行の狭いフィルター部３と、同じくフィルター部３と同様に奥行の狭い電解槽４およびセラミックス槽５を内蔵した薄型としている。板型活性炭フィルター３ａの縦幅および横幅は、１５０ｍｍ〜４２０ｍｍ程度の大きさで、厚みは、５ｍｍ〜９５ｍｍ程度の大きさに設定することができる。また、この浄水槽部２は、奥行を１０ｍｍ〜１００ｍｍ程度の肉薄に、縦幅および横幅を１５０ｍｍ〜４２０ｍｍ程度の大きさに設定することができる。また、この浄水槽部２には、電気回路を収納した回路部６を内蔵している。さらに、この浄水槽部２は、壁Ｗに掛止自在とし、さらに、その前面に（これにかえて裏面に、あるいは前面及び裏面の両面に設けることもできる）、絵画や写真を装着するための額縁状の装飾フレーム７を設けている。装飾フレーム７としては、いわゆる一般的な額縁やアクリルフォトフレームを使用することができる。また、装飾フレーム７は、例えば、その四隅をネジで浄水槽部２に着脱自在に取付けることができる。なお、板型活性炭フィルター３は、カートリッジ式であり、交換が容易である。
【００１９】
本実施形態に係る薄型浄水器１は、浄水槽部２を、薄板状の板型活性炭フィルター３ａが設けられたフィルター部３と、奥行の狭い電解槽４、セラミックス槽５および回路部６を内蔵した箱状薄型とし、かつ、壁Ｗに掛止するようにしたので設置スペースを小さくすることができる。従って、台所作業の邪魔にならない。また、浄水槽部２の前面に、絵画や写真を装着するための額縁状の装飾フレーム７を設けたので、その装飾フレーム７に絵画や写真を装着することによって、浄水槽部２の外観を綺麗にすることができる。これにより、キッチンの美観を高めることができる。
【００２０】
この薄型浄水器１は次のようにして使用する。
まず、水道の栓を開放し、また、切替ハンドル８ａを操作して、水道水を蛇口Ｆから水栓部８の取水口および取水ホース９ａを通して浄水槽部２に送る。浄水槽部２に送られた水道水は、まず、板型活性炭フィルター３ａを通過し、そこで塩素が除去される。次に、塩素が除かれた水道水は、セラミックス槽５に送られ、そこでマイナスイオンが付加され、さらに、電解槽４に送られ、電気分解作用によってアルカリイオン水とされる。
【００２１】
このように浄化（およびイオン化）された水道水は、給水ホース９ｂを通って水栓部８の給水口から給水される。これにより、塩素を含む水道水を、その塩素を除去し、マイナスイオンを含むアルカリイオン水として供給することができる。
【００２２】
なお、浄水槽部２の前面又は、裏面には、図５に示すように、鏡１０やホワイトボード１１を取付けることができる。鏡１０を取付けると、その鏡１０によって身だしなみを整えることができ、また、ホワイドボードを取付けると、それに必要事項を書き込むことができるので便利である。なお、この鏡１０とホワイトボード１１は、双方、取付けることもできる。
【００２３】
図６および図７を参照して、本発明の第二実施形態に係る薄型浄水器１について説明する。図６は薄型浄水器１の浄水槽部２を示す部分断面正面図であり、図７はそのＢ−Ｂ線拡大断面図である。
【００２４】
この薄型浄水器１は、第一実施形態における板型活性炭フィルター３ａに代えて、当該板型活性炭フィルター３ａの肉厚とほぼ等しい小径で円筒状の円筒型活性炭フィルター１２ａが設けられたフィルター部１２を上下二段に設けたことを特徴としている。この円筒型活性炭フィルター１２ａは、その直径を５ｍｍ〜９５ｍｍ程度、長さを１５０ｍｍ〜４００ｍｍ程度に設定することが望ましい。また、カートリッジ式にすると取替えを容易に行うことができる。
【００２５】
この円筒型活性炭フィルター１２ａは、その直径を、板型活性炭フィルター３ａの肉厚とほぼ等しい小径としたので、それを内蔵する浄水槽部２を同様に薄型に設定することができる。従って、大きな設置スペースを必要とせず、台所作業の邪魔にならない。
【図面の簡単な説明】
【００２６】
【図１】本発明の第一実施形態に係る薄型浄水器を示す正面図である。
【図２】図１に示す薄型浄水器の要部平面図である。
【図３】図１に示す薄型浄水器の浄水槽部を示す概略正面断面図である。
【図４】図３のＡ−Ａ線断面図である。
【図５】本発明の第一実施形態に係る薄型浄水器の他の態様を示す正面図である。
【図６】本発明の第二実施形態に係る薄型浄水器の浄水槽部を示す部分断面正面図である。
【図７】図５のＢ−Ｂ線拡大断面図である。
【符号の説明】
【００２７】
１      薄型浄水器
２      浄水槽部
３      フィルター部
３ａ    板型活性炭フィルター
４      電解槽
５      セラミックス槽
６      回路部
７      装飾フレーム
８      水栓部
８ａ    切替ハンドル
９      ホース部
９ａ    取水ホース
９ｂ    給水ホース
１０      鏡
１１      ホワイトボード
１２      フィルター部
１２ａ    円筒型活性炭フィルター
Ｆ      水道の蛇口
Ｗ      壁
【図１】
2005169257.tif 000003
【図２】
2005169257.tif 000004
【図３】
2005169257.tif 000005
【図４】
2005169257.tif 000006
【図５】
2005169257.tif 000007
【図６】
2005169257.tif 000008
【図７】
2005169257.tif 000009